(57)【特許請求の範囲】
【請求項１】
患者に適用されることが意図された回転磁場を発生させるための医療機器であって、
前記患者のための支持構造体（２、１４）と、
回転磁場を発生させるヘッド部（６、１６）と、
前記支持構造体（２）に取り付けられ、前記ヘッド部（６、１６）を誘導する形に支持する支持ガイド（５）と、を備え、
回転磁場を発生させる前記ヘッド部（６、１６）が、モータ要素を収納するハウジング（９）と、その放射面から磁場を放射する複数の磁石（１１）を含む回転支持体（１０）と、を備え、
前記回転支持体（１０）は、前記モータ要素に関連する回転シャフト上に組み付けられ、前記回転シャフトを軸として、制御された回転速度で前記モータ要素によって回転され、
前記磁石（１１）は、規定された極性を有し、その磁気軸が前記回転支持体（１０）の前記放射面に垂直に向けられるように配置され、
前記磁石（１１）の一部は、その北極を前記放射面上に有し、残りの磁石は、その南極を前記放射面上に有し、
前記ヘッド部（６、１６）は、前記支持ガイド（５）に沿って誘導される形で、徐々にかつ反復的に動作し、
前記回転支持体（１０）の前記放射面は、前記支持構造体（２）によって支持された患者の体から一定距離を離れて直面しており、
前記支持ガイド（５）は、前記支持構造体（２）によって支持された前記患者の体に沿って、横断方向および長手方向の両方に、前記ヘッド部（６、１６）のための軌道を規定するように配置されている医療機器。
【請求項２】
前記支持構造体（２）は、ストレッチャ（１）を備えることを特徴とする請求項１に記載の医療機器。
【請求項３】
前記ストレッチャ（１）は、前記ストレッチャ（１）が水平である第１の位置と、前記ストレッチャ（１）が垂直である第２の位置との間で回転するように構成される請求項２に記載の医療機器。
【請求項４】
前記支持構造体（１４）は、患者が直立状態で立つための土台を備えることを特徴とする請求項１に記載の医療機器。
【請求項５】
前記支持ガイド（５）は、前記ヘッド部（６）が誘導される形で沿って動作する湾曲ロッドの形状であり、
前記湾曲ロッドは、前記支持構造体（２）によって支持された前記患者の体に沿って横切る方向に延び、かつ、長手方向に沿って移動するように構成されることを特徴とする請求項１から４のいずれかに記載の医療機器。
【請求項６】
前記支持ガイド（５）に沿って制御される形で前記ヘッド部（６、１６）を動作させるために、前記ヘッド部（６、１６）は、転動手段に関連づけられ、前記転動手段は、モータ手段に関連付けられることを特徴とする請求項１から５のいずれかに記載の医療機器。
【請求項７】
前記支持ガイド（５）に沿って前記ヘッド部（１６）を動作させるためのモータ手段を有さず、
回転磁場を発生させる前記ヘッド部（１６）には、手動用途のための把持ハンドル（２１）、および、前記支持ガイド（５）上で転動させるための転動装置に前記ヘッド部（１６）を取付けるための関連手段（１８）が設けられることを特徴とする請求項１から５のいずれかに記載の医療機器。
【請求項８】
前記磁石（１１）は、前記回転支持体（１０）の前記放射面から、５００ガウスから２８００ガウスの間の前記磁場の値を有する前記磁場を発生させるように構成されることを特徴とする請求項１から７のいずれかに記載の医療機器。
【請求項９】
前記モータ要素は、前記回転支持体（１０）を、０ｒｐｍから１５００ｒｐｍの間の回転速度で回転することができるように構成されることを特徴とする請求項１に記載の医療機器。
【請求項１０】
前記磁石（１１）が、個々でまたは技術的に実行可能なその組み合わせで考えられる、ネオジム磁石、フェライト磁石、および電磁石を含む群から選択されるものであることを特徴とする請求項１に記載の医療機器。
【請求項１１】
前記磁石は、前記回転支持体（１０）に円形に配置された、複数対の磁石（１１）、好ましくは４つの磁石（１１）であり、
前記回転支持体（１０）の前記放射面上にその北極を有する前記磁石（１１）の各々は、その隣に、前記放射面上にその南極を有する前記磁石（１１）の２つを有することを特徴とする請求項１に記載の医療機器。
【請求項１２】
前記支持構造（２、１４）に関連付けられた、回転磁場を発生させる前記ヘッド部（６、１６）を複数備えることを特徴とする請求項１から１１のいずれかに記載の医療機器。
【発明の詳細な説明】
【技術分野】
【０００１】
本発明は、患者および前記患者のための支持構造体で使用されることが意図された磁場発生器を備える医療機器に関する。
【背景技術】
【０００２】
磁石または電磁石を用いて治療の目的で磁場を作り出す手段が装着された複数の装置が、知られている。
【０００３】
たいていの場合、磁場を発生させる手段は、医療スタッフによって使用される手動の機器であり、医療スタッフは、患者の特定地点にその機器をあてるまたは患者のある領域にわたってその機器を移動させる。スペイン特許第２２０６０２５号明細書の文献は、電磁石を使用するこのタイプの装置を開示しており、一方でメキシコ特許第２００９０００５６５号明細書、独国特許第４１３２０７８号明細書、カナダ特許第２５２６９７７号明細書、カナダ特許第２２８２７２３号明細、国際公開第９９／１９０２２号パンフレットおよび米国特許第５５６２７０６号明細書の文献は、永久磁石を使用するこの述べられたタイプの装置を開示している。
【０００４】
他の場合では、上記の場合ほど頻度は高くないが、磁場を発生させる手段は、ストレッチャの領域内の、患者の下方または患者の上方に位置し、垂直軸周りで回転または振動してその磁気放射を患者の限定された領域にわたって投じることができる。スペイン特許第２１１２７７７号明細書の文献は、このタイプの装置を開示しており、この場合磁場はソレノイドによって作り出される。米国特許第４７２７８５７号明細書および米国特許第５６６７４６９号明細書の文献は、永久磁石が使用されるこのタイプの装置を開示している。独国特許第１００３２８１４号明細書の文献は、一部の磁石がストレッチャの下方で揺動移動で振動するこのタイプの装置を開示している。
【０００５】
最後に、他の場合では、磁場発生器はある地点に固定され、患者は、座るまたは立つことによりこの発生装置の前に身を置く。独国特許第３２２１５４４号明細書の文献は、永久磁石付きディスクが、モータによって駆動され、これが支持体足部に位置するこのタイプの装置を開示している。
【０００６】
これらの背景となる装置を考察すると、磁場を発生させる手段が、ストレッチャ等の上のある地点に位置し、またはこれらが、患者の下方のストレッチャまたは治療テーブルに関して固定された軌道に沿って移動し、したがって患者は、治療を施すことが望まれる患者の体の表面に従って移動されなければならないことが明らかにされる。
【発明の概要】
【発明が解決しようとする課題】
【０００７】
患者が、座っている治療テーブルまたはストレッチャの表面上で一方の領域から他方に移動される必要がないように、磁場を発生させるヘッド部が、ヘッド部による連続的な反復ステップを用いて治療されるべき領域に常に面して、患者の上方もしくは下方、前方もしくは後方、または患者周りを誘導される形で移動される解決策が採用された。
【課題を解決するための手段】
【０００８】
前述の解決策によれば、患者および前記患者のための支持構造体（２、１４）に適用されることが意図された磁場発生器を備える、本発明の目的である医療機器であって、前記支持構造体に関連付けて、磁場を発生させるヘッド部を備え、前記ヘッド部は、前記支持構造体に取り付けられた支持ガイドによって規定された軌道を描きながら、誘導される形でおよび／または手動で除々にかつ反復的に、患者から一定距離を離した位置内で移動することができ、前記軌道は、前記磁場によって治療されるべき患者の体の表面に沿って横断方向および／または長手方向に通ることを特徴とする、医療機器が開発された。
【０００９】
一部の好ましい実施形態では、前記支持構造体は、ストレッチャ構造体に関連付けられ、好ましくは患者を反転させるのに適したストレッチャに関連付けられる。
【００１０】
好ましくは、磁場を発生させる前記ヘッド部の前記支持ガイドに沿った機械的移動を可能にすることが意図された前記支持ガイドは、患者の体のいかなる表面の前方にも位置付けることができる抵抗要素であって、曲線形状、直線形状、およびその組み合わせを含む群に属する構成を有する長手方向の構造を有する抵抗要素からなり、前記抵抗要素は、患者に最も近いその面において、これが直線または凹状にかかわらず、磁場によって治療されなければならない患者の体の表面の部分に面して延びるように配置される。
【００１１】
好ましくは、磁場を発生させる前記ヘッド部は、磁場の放射面が、治療されるべき患者の体の表面方向に常に向けられるように前記支持ガイドを介して通る。
【００１２】
好ましくは、磁場を発生させる前記ヘッド部には、前記支持ガイドによって規定された軌道に沿って移動する手段が設けられ、この手段は、個々で考えられるものであれ、または技術的に実行可能な組み合わせで考えられるものであれ、自動手段および外部手段を含む群に属する。
【００１３】
好ましくは、磁場を発生させる前記ヘッド部は、個々でまたは技術的に実行可能なその組み合わせで考えられる、同一の力の極性および交互方向を有する磁石、同一の力極性を有し同じ方向の磁石、異なる力の極性および／または方向を有する磁石を含む群に属する、規定された極性を有する磁場を放射する磁石を含む支持体を備える。
【００１４】
好ましくは、磁場を発生させるヘッド部の磁石を含む前記支持体は、駆動力に関連する回転シャフト上に組み付けられる。
【００１５】
一部の実施形態では、前記支持ガイドには、これを、患者が手足を伸ばして位置する前記支持構造体上の選択された地点に設置する手段が設けられ、前記支持構造体は、個々でまたは技術的に実行可能なその組み合わせで考えられる、従来のストレッチャおよび反転ストレッチャを含む群からのものである。
【００１６】
他の実施形態では、前記支持ガイドが設置される前記支持構造体は、患者が直立の、または座っている位置にある垂直支持構造体である。
【００１７】
好ましくは、磁場を発生させる前記ヘッド部は、５００から２８００ガウスの間の値を有する磁気放射を投じるように構成される。
【００１８】
好ましくは、本発明による医療機器は、磁石を含む前記支持体が、０から１５００ｒｐｍの間の回転速度で回転することができるように構成される。
【００１９】
好ましくは、前記磁石は、個々でまたは技術的に実行可能なその組み合わせで考えられる、ネオジム磁石、フェライト磁石、および電磁石を含む群からである。
【００２０】
好ましくは、磁場を発生させる前記ヘッド部は、前記支持ガイド上で転動する手段に関連付けられ、この手段は、前記支持ガイドに沿った制御された移動モータ手段に関連付けられることが多い。
【００２１】
好ましくは、磁場を発生させる前記ヘッド部には、転動手段、モータおよび支持ガイドを有さない手動用途のための把持ハンドルが設けられる。
【００２２】
好ましくは、前記ヘッド部は、複数の磁石を備え、これらの磁石は、その磁気軸が、前記ヘッド部の放射面に垂直になるように向けられて配置され、この場合、前記磁石の一部は、その北極を前記放射面上に有し、残りの磁石はその南極を前記放射面上に有する。
【００２３】
一部の好ましい実施形態では、前記ヘッド部は、円形に配置された、磁石の複数の対、好ましくは４つの磁石を有し、この場合、前記放射面上にその北極を有する前記磁石の各々は、その隣に、前記放射面上にその南極を有する前記磁石の２つを有する。
【００２４】
好ましくは、本発明による医療機器は、前記支持構造体に関連付けられた磁場を発生させる前記ヘッド部を複数備える。
【００２５】
本発明による機器では、ヘッド部は、非常にさまざまな形状を有する磁場配位を含むことができ、永久磁石、電磁石、または両方の組み合わせを含むことができる。この説明および特許請求の範囲において、用語「磁石」または「複数の磁石」は、上記の可能性のあらゆるものを示すために使用される。
【００２６】
さまざまな構造詳細を開示しながらも、解説された着想の理解を容易にするために、本発明の実施形態は、本明細書に添付する図を参照して以下で説明され、この実施形態は、その本質的な例示的目的を前提として、求められる法的保護の範囲をいかなる方法においても限定しないものとして解釈されなければならない。図は以下の通りに示す。
【図面の簡単な説明】
【００２７】
【図１】患者の治療中の、本発明の目的である医療機器を含む反転ストレッチャ構造体の上部斜視図である。
【図２】医療機器が適切に設置された後に治療が実施され得る反転位置にある、前述の図のストレッチャの側面図である。
【図３】管状支持ガイド上にカンチレバー配置で組み立てられた、磁場を発生させるヘッド部の実施形態の側面図である。
【図４】支持構造体が、磁場を発生させるヘッド部の支持ガイドを、各場合に必要とされる高さで支持する垂直バーまたは柱からなる、医療機器の可能性のある実施形態の上部斜視図である。この図では、患者は、立った位置で治療を受けるが、座った位置でも受けることができる。
【図５】特別な治療に手動によって使用されるために支持ガイドから取り外された磁場を発生させるヘッド部の、部分的に区切られた側面図である。この図は、磁石の配置を示している。
【図６】前述の図の、磁場を発生させるヘッド部の底部平面図である。
【発明を実施するための形態】
【００２８】
図１は、支持体４上のシャフト３周りで揺動する支持プレート２で構成された反転ストレッチャ１からなる、患者のための支持構造体を示している。支持プレート２は、患者の足を保持するための端部停止部を有し、それにより、前記支持プレート２を、図２に示すように患者の足を上部位置にして垂直に配置することができる。この位置では、有利には、患者の背骨が長手方向に伸ばされる。
【００２９】
反転ストレッチャ１では、支持ガイド５が、磁場を発生させるヘッド部６を移動させるために設けられる。
【００３０】
図１では、支持ガイド５は、支持プレート２に対して横断方向に設置され、その側部に取り付けられる。
【００３１】
本発明は、支持ガイド５が、支持プレート２の側部７のいかなる地点においても支持プレート２を横断して、または支持プレート２の端部８のいかなる地点においても長手方向に位置することができ、それにより、患者の体の表面のいかなる領域にも到達できることを企図しており、これは図１の矢印で示している。
【００３２】
図３は、管状セクションを有する支持ガイド５上に摺動式に組み立てられた、磁場を発生させるヘッド部６の実施形態を示している。この図では、磁場１２を放射する磁石１１を含むプレート１０の制御された速度での回転を決定するモータのハウジング９が見られる。前記の図はまた、前記モータに給電する導電体１３も示している。
【００３３】
図４は、医療機器の可能性のある実施形態を示しており、この場合図１および図２内の支持構造体２は、磁場を発生させるヘッド部６を支持する支持ガイド５を、実施されるべき特有の治療の各場合に決定された好都合な高さで支持する垂直バーまたは柱１４に置き換えられている。患者は、立った位置で治療を受けるが、座った位置でも受けることができる。
【００３４】
図５および図６は、特別な治療のために手動で使用されるのに適したヘッド部からなるという理由でヘッド部６とは異なる、磁場を発生させるヘッド部１６を示しているが、ヘッド部１６を支持ガイド５内に組み込むことを可能にする可能性は排除されない。ヘッド部１６には、磁石１１を担持するプレート１０と、作動制御装置１７と、支持ガイド５への可能性のある関連付け１８のための手段１８と、把持ハンドル２１とが設けられる。この図ではまた、モータに給電する導電体１９が観察される。プレート１０は、磁石１１と共に部分的シェル２０内に収容される。
【００３５】
磁場を発生させるヘッド部６および１６は、５００から２８００ガウスの間の値を有する磁気放射を個々に投じることができる。
【００３６】
磁石１１を支持するプレート１０は、０から１５００ｒｐｍの間の回転速度で回転することができる。
【００３７】
磁石１１は、個々でまたは技術的に実行可能なその組み合わせで考えられる、ネオジム磁石、フェライト磁石、および電磁石を含む群からのものである。
【００３８】
磁場を発生させるヘッド部６は、支持ガイド５上で転動手段に関連付けられ、この手段は、支持ガイド上の移動を制御するモータ手段に関連付けられることが多い。
【００３９】
磁場を発生させるヘッド部１６には、その手動用途のための把持ハンドル２１が設けられ、したがってこれは、支持ガイド５上での移動のための転動またはモータ手段を有さない。しかし、ヘッド部１６には、支持ガイド５上で転動するために転動装置に取り付けられるための関連手段１８が設けられる。
【図１】
0005933567.tif 000002
【図２】
0005933567.tif 000003
【図３】
0005933567.tif 000004
【図４】
0005933567.tif 000005
【図５】
0005933567.tif 000006
【図６】
0005933567.tif 000007